(57)【要約】【課題】本発明は、免疫測定用の磁性粒子をマイクロプレートのウェル表面に磁石で誘導することによって捕集する場合に、マイクロプレートのウェル表面に磁性粒子をウェル間で同一に捕集させて、再現性の良い測定結果が得られるようにすることである。【解決手段】本発明による磁気プレートは、免疫測定用の磁性粒子をマイクロプレート（４）の表面にネオジム磁石（１）で誘導することによって抗原抗体反応を行う免疫測定方法に用いる磁気プレートにおいて、前記マイクロプレート（４）のウェル（１０、Ａ〜Ｈ）の配置に合わせて円柱状のネオジム磁石が配置され、かつ、前記各ネオジム磁石の磁極（１０、Ａ〜Ｈ）の向きを交互に並べているように構成したことを特徴とする磁気プレート。【選択図】図４
2020071076.tif 000002
【特許請求の範囲】
【請求項１】
免疫測定用の磁性粒子をマイクロプレート（４）の表面にネオジム磁石（１）で誘導することによって抗原抗体反応を行う免疫測定方法に用いる磁気プレートにおいて、
前記マイクロプレート（４）のウェル（１０、Ａ〜Ｈ）の配置に合わせて円柱状のネオジム磁石（１）が配置され、かつ、前記各ネオジム磁石の磁極（１０、Ａ〜Ｈ）の向きを交互に並べているように構成したことを特徴とする磁気プレート。
【請求項２】
請求項１の構成により、前記マイクロプレート（４）のウェル（１０、Ａ〜Ｈ）内の磁場分布がウェル間で同一となるように構成したことを特徴とする磁気プレート。
【発明の詳細な説明】
【技術分野】
【０００１】
本発明は、磁気プレートに関し、特に、マイクロプレートのウェルの配置に合わせて円柱状の磁石が配置され、かつ、前記各磁石の磁極の向きを交互に並べることにより、ウェル表面に磁性粒子がウェル間で同一に捕集されるようにするための新規な改良に関する。
【背景技術】
【０００２】
従来、用いられていたこの種の構成を開示する非特許文献１としては、図示していないが、「ＯＺ  Ｂｉｏｓｃｉｅｎｃｅｓ、Ｍａｇｎｅｔｉｃ  ｐｌａｔｅｓ」があり、マイクロプレートのウェル表面に集めるため磁気プレートは、磁気遺伝子導入用として実用化されており、特に、マイクロプレートのウェルの配置に合わせて円柱状磁石が配置されている。
但し、磁石の磁極の向きは限定されておらず、ランダムとなっている。
【先行技術文献】
【非特許文献】
【０００３】
【非特許文献１】「ＯＺ  Ｂｉｏｓｃｉｅｎｃｅｓ、  Ｍａｇｎｅｔｉｃ  ｐｌａｔｅｓ」「平成３０年４月１８日閲覧」、インターネット、＜ＵＲＬ：ｈｔｔｐｓ：／／ｗｗｗ．ＯＺｂｉｏｓｃｉｅｎｃｅｓ．ｃｏｍ／ｍａｇｎｅｔｉｃ−ｐｌａｔｅｓ−ｔｒａｎｓｆｅｃｔｉｏｎ−ｔｏｏｌｓ．ｈｔｍｌ＞
【発明の概要】
【発明が解決しようとする課題】
【０００４】
従来の磁気プレートは、以上のように構成されているため、次のような課題が存在していた。
すなわち、前述の非特許文献１の構成の場合、磁石の磁極の向きは限定されておらず、磁石の向きがランダムであったので、マイクロプレートのウェル内に生じる磁場分布がウェル毎にばらついていた。そのため、従来の磁気プレートを用いると、ウェル表面に磁性粒子がウェル間で同一には捕集されず、測定値にばらつきが生じることがあった。
【０００５】
本発明は、以上のような課題を解決するためになされたもので、特に、免疫測定用の磁性粒子をマイクロプレート表面に磁石で誘導することによって抗原抗体反応を行う免疫測定方法に対して、マイクロプレートのウェル表面に磁性粒子をウェル間で同一に捕集することのできる磁気プレートを提供するものである。
【課題を解決するための手段】
【０００６】
本発明による磁気プレートは、免疫測定用の磁性粒子をマイクロプレートの表面にネオジム磁石で誘導することによって抗原抗体反応を行う免疫測定方法に用いる磁気プレートにおいて、前記マイクロプレートのウェルの配置に合わせて円柱状のネオジム磁石が配置され、かつ、前記各ネオジム磁石の磁極の向きを交互に並べているようにした構成であり、また、請求項１の構成により、前記マイクロプレートのウェル間の磁場分布が同一となるようにした構成である。
【発明の効果】
【０００７】
本発明による磁気プレートは、以上のように構成されているため、次のような効果を得ることができる。すなわち、免疫測定用の磁性粒子をマイクロプレートの表面にネオジム磁石で誘導することによって抗原抗体反応を行う免疫測定方法に用いる磁気プレートにおいて、前記マイクロプレートのウェルの配置に合わせて円柱状のネオジム磁石が配置され、かつ、前記各ネオジム磁石の磁極の向きを交互に並べているように構成したことにより、マイクロプレートの形状に合わせてネオジム磁石が配置されており、かつ、ネオジム磁石の磁極の向きを交互に揃えた磁石プレートによって、マイクロプレートのウェル内の磁場分布がウェル間で同一となり、マイクロプレート表面に磁性粒子がウェル間で同一に捕集されるので、免疫測定の測定値のばらつきが小さくなって再現性の良い結果が得られる。
【図面の簡単な説明】
【０００８】
【図１】本発明による磁気プレートの全体構成を示す斜視構成図である。
【図２】本発明による磁気プレートを用いた疾患マーカーの免疫測定方法の工程図である。
【図３】本発明によるマイクロプレートの要部を示す拡大断面図である。
【図４】図３におけるマイクロプレートにおける二次元静磁場解析結果（磁石８個、磁極交互配置）を示す説明図である。
【図５】図４における各ウェルと免疫測定の蛍光強度との関係を示す特性図である。
【図６】図３におけるマイクロプレートにおける二次元静磁場解析結果（磁石８個、磁極同方向配置）を示す説明図である。
【図７】図６における各ウェルと免疫測定の蛍光強度との関係を示す特性図である。
【発明を実施するための形態】
【０００９】
本発明は、磁気プレートに関し、特に、マイクロプレートのウェルの配置に合わせて円柱状のネオジム磁石が配置され、かつ、前記各ネオジム磁石の磁極の向きを交互に並べることにより、ウェル表面に磁性粒子がウェル間で同一に捕集されるようにすることである。
【００１０】
以下、図面と共に本発明による磁気プレートの好適な実施の形態について説明する。
図１は、多数の円柱状をなすネオジム磁石１と、円柱状の前記ネオジム磁石１が各々の孔２に設けられた磁石プレート３と、磁石プレート３上に位置するマイクロプレート４とから構成されている。
前記マイクロプレート４は、前記磁石プレート３上に設けられ、このマイクロプレート４は磁石プレート３上において着脱自在に設けられている。
【００１１】
前記マイクロプレート４には、前記各円柱状のネオジム磁石１上に対応して、これに対応できる状態で、複数のウェル１０（Ａ、Ｂ、Ｃ、Ｄ、Ｅ、Ｆ、Ｇ、Ｈ）を有するマイクロプレート４が位置し、前記マイクロプレート４の前記各ウェル１０（Ａ〜Ｈ）とは、互いに対応かつ一致して設けられると共に、前記マイクロプレート４は前記磁石プレート３に対して取り替え自在に構成されている。
尚、図示していないが、磁石プレート３及びネオジム磁石１の寸法及び数は各種の寸法と数の組み合わせとすることができる。
【００１２】
図２は、免疫測定用の磁性粒子をマイクロプレート４の表面にネオジム磁石で誘導することによって迅速に抗原抗体反応を行う免疫測定方法の工程を示す図である。すなわち、磁気プレート３を用いることにより、マイクロプレート４の前記ウェル１０（Ａ〜Ｈ）の配置に合わせて筒状のネオジム磁石１が配設されおり、かつ、ネオジム磁石の磁極の向きが図３及び図４のように、交互に並べてある。
【００１３】
図２の工程は、蛍光磁性ビーズの磁気捕集化を前記ネオジム磁石１とマイクロプレート４を用い、免疫測定用の磁性粒子をマイクロプレート４のウェル１０の表面にネオジム磁石１で誘導することによって、迅速抗原抗体反応を行う免疫測定を示している。
【００１４】
すなわち、抗原を認識する捕捉用抗体を固相化したマイクロプレート４のウェル１０に、抗原を認識する検出用抗体が結合した磁性を有する免疫測定用粒子の分散液と抗原溶液を分注し、数分間混合する。
前記マイクロプレート４の下から磁石プレート３である磁石１を当てて免疫測定用粒子をウェル１０の表面に磁気捕集する。
次に、磁性プレートを洗浄してウェル１０の表面に結合しなかった免疫測定用粒子を除去した後、ウェル１０の表面に残った免疫測定用粒子を検出する。
【００１５】
次に本発明による磁気プレートの実際の実験例について説明する。
【実施例】
【００１６】
以下、図３、図４及び図５に基づき、図１のマイクロプレート４及び磁石プレート３を用いて免疫測定実験を行った。
すなわち、図３で示されるように、９６ウェルマイクロプレートからなるマイクロプレート４のウェル１０の配置に合わせて９ｍｍ間隔で円柱状のΦ６ｍｍ、長さ９ｍｍ、Ｎ４０グレードのネオジム磁石１を交互の磁極の向きで８個１列に並んでいる磁石プレート３を用意した。図３は、前記ウェル１０が、Ａ〜Ｈで示されるように、８個からなる構成のマイクロプレート４が用いられ、このマイクロプレート４の下部４Ａには、前記各ウェルＡ〜Ｈに対応してネオジム磁石１が設けられている。この図３の磁石配置にて磁場解析した結果、８個の内側６個ではウェル内の磁場分布がほぼ同一となった（図４）。そこで内側６個で磁性粒子を用いた免疫測定実験を行った。マウスＩｇＧ抗原を認識する捕捉用抗体を固相化したＣｏｒｎｉｎｇ社の９６ウェル黒色マイクロプレート４のウェル１０に、マウスＩｇＧを認識する検出用抗体が結合した蛍光磁性粒子の分散液（４０μｇ／ｍL）５０μＬとマウスＩｇＧ溶液（１６ｎｇ／ｍＬ）５０μＬを分注し５分間混合した。マイクロプレート４の下から磁石プレート３を当てて免疫測定粒子をウェル表面に１分間磁気捕集した。プレートを洗浄してウェル表面に結合しなかった免疫測定用粒子を除去した後、ウェル１０表面に残った免疫測定用粒子を蛍光プレートリーダにて検出した。実験の結果、測定値の変動係数は４．５％となり同時再現性の良い結果が得られた（図５）。
【００１７】
次に、前述の実施の形態に対比するための比較例について述べる。
図６及び図７において、実施例と同様の配置であるが、ネオジム磁石１の磁極は同方向に並んでいる磁石プレート３を用意し、実施例と同様の実験を行った。磁場解析の結果、全てのウェルＡ〜Ｈ内の磁場分布に違いが生じた（図６）。免疫測定実験の結果、８個の内側６個のウェルの中で外側の２個のウェルでは内側の４個のウェルよりも測定値が高く、全測定値の変動係数は１０％となり、実施例よりも同時再現性の悪い結果となった（図７）。
【産業上の利用可能性】
【００１８】
本発明による磁気プレートは、マイクロプレートの形状に合わせてネオジム磁石が配置されており、かつネオジム磁石の磁極の向きを交互に揃えた磁石プレートによって、マイクロプレートのウェル内の磁場分布がウェル間で同一となり、マイクロプレート表面に磁性粒子がウェル間で同一に捕集されるので、免疫測定の測定値のばらつきが小さく、再現性の良い測定結果が得られる。
【符号の説明】
【００１９】
１  ネオジム磁石
２  孔
３  磁石プレート
４  マイクロプレート
４Ａ  下部
１０（Ａ〜Ｈ）  ウェル
【図１】
2020071076.tif 000003
【図２】
2020071076.tif 000004
【図３】
2020071076.tif 000005
【図４】
2020071076.tif 000006
【図５】
2020071076.tif 000007
【図６】
2020071076.tif 000008
【図７】
2020071076.tif 000009